(57)【要約】【課題】  印刷媒体の往復搬送を繰り返して印刷する印刷装置に対し、ゴミの進入やゴミを印刷媒体に付着させて印刷ヘッド周辺にまで取り込んでしまうことを防止して印刷品質を向上させる印刷装置を提供することを目的とする。【解決手段】  印刷装置１は、印刷媒体としての用紙１０に対する印刷手段と搬送手段とを包含する筐体７の内部に収容可能に付設され、印刷時には筐体７の内部より引き出され、搬送手段の往路搬送により筐体７から突出する用紙１０の少なくとも上面を覆う第１保護カバー１３を備えたので、用紙１０を印刷装置１の外部に曝すことはない。【選択図】  図１７
2007069554.tif 000002
【特許請求の範囲】
【請求項１】
印刷手段と、
前記印刷手段により印刷される印刷媒体と、
前記印刷媒体を往復搬送する搬送手段と、
前記印刷手段と搬送手段とを包含する筐体と、
前記筐体の内部に収容可能に付設され、印刷時には筐体内部より引き出され、前記搬送手段の往路搬送により前記筐体から突出する前記印刷媒体の少なくとも上面を覆う保護カバーと、を備えたことを特徴とする印刷装置。
【請求項２】
請求項１に記載の印刷装置において、
前記印刷媒体を印刷装置に供給する給紙トレーと、前記給紙トレーを前記筐体に着脱する操作に伴う給紙トレーの動きを駆動源とする駆動装置とを備え、
前記トレーを前記筐体に挿入したとき、前記駆動装置により前記保護カバーが前記筐体から所定距離だけ突出するようにしたことを特徴とする印刷装置。
【請求項３】
請求項２に記載の印刷装置において、
前記給紙トレーを前記筐体から取外したとき、前記駆動装置により前記保護カバーが前記筐体の中に引き戻されるようにしたことを特徴とする印刷装置。
【請求項４】
請求項１に記載の印刷装置において、
前記印刷媒体を印刷装置に供給する給紙トレーと、前記保護カバーを前記筐体から突出させる付勢部材と、前記付勢部材の付勢力を保留する保留手段と、前記保留手段の保留を解除する保留解除手段とを備え、
前記給紙トレーを前記筐体に挿入したとき、前記給紙トレーが前記保留解除手段に作用して前記付勢部材の付勢力を解除し、前記保護カバーが前記付勢部材の付勢力により前記筐体から所定距離だけ突出するようにしたことを特徴とする印刷装置。
【請求項５】
請求項１に記載の印刷装置において、
前記保護カバーを前記筐体から突出させる付勢部材と、前記付勢部材の付勢力を保留する保留手段と、前記保留手段の保留を解除する保留解除手段とを備え、
前記保留解除手段を手動で操作することにより前記付勢部材の付勢力を解除し、前記保護カバーが前記付勢部材の付勢力により前記筐体から所定距離だけ突出するようにしたことを特徴とする印刷装置。
【請求項６】
請求項４又は請求項５に記載の印刷装置において、
前記筐体から突出した前記保護カバーを筐体の内部に戻す操作を前記付勢部材の付勢力に抗して手動で行うようにしたことを特徴とする印刷装置。
【請求項７】
請求項１に記載の印刷装置において、
前記筐体の内部に収容可能に付設された保護カバーの筐体からの突出と筐体への挿入を手動操作にて行う手動操作機構を備えたことを特徴とする印刷装置。
【請求項８】
請求項１乃至請求項７のいずれかに記載の印刷装置において、
前記保護カバーは、前記筐体から突出する前記印刷媒体を内部で往復させて保護する中空形状であることを特徴とする印刷装置。
【発明の詳細な説明】
【技術分野】
【０００１】
本発明は、印刷媒体を往復搬送して印刷する印刷装置に関し、特に往復搬送される印刷媒体の印刷面を保護する印刷装置に付設された保護カバーに関するものである。
【背景技術】
【０００２】
従来より、印刷装置によって印刷される印刷媒体の印刷品質を向上させるための一つの対策としてゴミ対策がある。近年、デジタルカメラの普及に伴いデジタルカメラで撮影した映像をその場で印刷するためのコンパクトな印刷装置の発達も著しい。この印刷装置はコンパクトであるために装置内部に印刷媒体を往復搬送するスペースを確保することが難しい。従って、印刷媒体を印刷時に印刷装置の筐体から突出させて印刷する必要がある。そのため、印刷媒体の送排出口からのゴミの進入や印刷媒体が印刷媒体に付着したゴミを印刷ヘッド周辺にまで取り込んでしまい、印刷品質を著しく低下させてしまうという問題がある。
上述の印刷媒体の排出口からのゴミの進入を防止する方法として、例えば、特許文献１に記載されているプリンタの排紙口保護装置は、排紙ローラにより搬送された用紙を排紙口に向けてガイドする排紙ガイドと、排紙口を覆って保護する閉じ位置と、排紙口を開放して用紙の排出を可能にする開き位置との間で開閉自在であるとともに、用紙をガイドして排紙口よりも上方に向けて排出する蓋部材とを設けた技術が開示されている。
【０００３】
【特許文献１】特開平８−１１８７５５号公報（段落（００１１）〜（００１３）、図１〜図３）
【発明の開示】
【発明が解決しようとする課題】
【０００４】
しかしながら、上述した特許文献１で開示された用紙をガイドして排紙口よりも上方に向けて排出する蓋部材の技術は、用紙の排出のみに使用する場合には有効であるが、カラー印刷等で印刷媒体である用紙を筐体から突出させて複数回の往復搬送を繰り返して印刷する印刷装置に対しては、印刷媒体である用紙の上方が開放されているので上方からのゴミを印刷媒体に付着させて印刷ヘッド周辺にまで取り込んでしまい、印刷品質を著しく低下させてしまうという不具合に対処できないという問題がある。
【０００５】
そこで、本発明は、上述した問題点を解決するためになされたものであり、カラー印刷等で印刷媒体を筐体から突出させて複数回の往復搬送を繰り返して印刷する印刷装置に対し、ゴミの進入やゴミを印刷媒体に付着させて印刷ヘッド周辺にまで取り込んでしまうことを防止して印刷品質を向上させる印刷装置を提供することを目的とする。
【課題を解決するための手段】
【０００６】
前記目的を達成するため請求項１に係る印刷装置は、印刷手段と、前記印刷手段により印刷される印刷媒体と、前記印刷媒体を往復搬送する搬送手段と、前記印刷手段と搬送手段とを包含する筐体と、前記筐体の内部に収容可能に付設され、印刷時には筐体内部より引き出され、前記搬送手段の往路搬送により前記筐体から突出する前記印刷媒体の少なくとも上面を覆う保護カバーと、を備えたことを特徴とする。
【０００７】
また、請求項２に係る印刷装置は、請求項１に記載の印刷装置において、前記印刷媒体を印刷装置に供給する給紙トレーと、前記給紙トレーを前記筐体に着脱する操作に伴う給紙トレーの動きを駆動源とする駆動装置とを備え、前記トレーを前記筐体に挿入したとき、前記駆動装置により前記保護カバーが前記筐体から所定距離だけ突出するようにしたことを特徴とする。
【０００８】
また、請求項３に係る印刷装置は、請求項２に記載の印刷装置において、前記給紙トレーを前記筐体から取外したとき、前記駆動装置により前記保護カバーが前記筐体の中に引き戻されるようにしたことを特徴とする。
【０００９】
また、請求項４に係る印刷装置は、請求項１に記載の印刷装置において、前記印刷媒体を印刷装置に供給する給紙トレーと、前記保護カバーを前記筐体から突出させる付勢部材と、前記付勢部材の付勢力を保留する保留手段と、前記保留手段の保留を解除する保留解除手段とを備え、前記給紙トレーを前記筐体に挿入したとき、前記給紙トレーが前記保留解除手段に作用して前記付勢部材の付勢力を解除し、前記保護カバーが前記付勢部材の付勢力により前記筐体から所定距離だけ突出するようにしたことを特徴とする。
【００１０】
また、請求項５に係る印刷装置は、請求項１に記載の印刷装置において、前記保護カバーを前記筐体から突出させる付勢部材と、前記付勢部材の付勢力を保留する保留手段と、前記保留手段の保留を解除する保留解除手段とを備え、前記保留解除手段を手動で操作することにより前記付勢部材の付勢力を解除し、前記保護カバーが前記付勢部材の付勢力により前記筐体から所定距離だけ突出するようにしたことを特徴とする。
【００１１】
また、請求項６に係る印刷装置は、請求項４又は請求項５に記載の印刷装置において、前記筐体から突出した前記保護カバーを筐体の内部に戻す操作を前記付勢部材の付勢力に抗して手動で行うようにしたことを特徴とする。
【００１２】
また、請求項７に係る印刷装置は、請求項１に記載の印刷装置において、前記筐体の内部に収容可能に付設された保護カバーの筐体からの突出と筐体への挿入を手動操作にて行う手動操作機構を備えたことを特徴とする。
【００１３】
そして、請求項８に係る印刷装置は、請求項１乃至請求項７のいずれかに記載の印刷装置において、前記保護カバーは、前記筐体から突出する前記印刷媒体を内部で往復させて保護する中空形状であることを特徴とする。
【発明の効果】
【００１４】
請求項１に係る印刷装置では、印刷媒体に対する印刷手段と搬送手段とを包含する筐体の内部に収容可能に付設され、印刷時には筐体内部より引き出され、搬送手段の往路搬送により筐体から突出する印刷媒体の少なくとも上面を覆う保護カバーを備えたので、印刷媒体を印刷装置の外部に曝すことはない。そのため、周囲からのゴミの侵入と印刷媒体へのゴミの付着が防止でき、その結果、ゴミを印刷媒体に付着させたまま印刷ヘッド周辺にまで取り込んでしまうことが防止できるので印刷品質を向上させることができる。そして、印刷媒体を印刷装置から突出させて印刷してもゴミの影響を考慮する必要が無いので印刷装置の小型化が図れる。
【００１５】
また、請求項２に係る印刷装置では、印刷媒体を印刷装置に供給する給紙トレーと、給紙トレーを筐体に着脱する操作に伴う給紙トレーの動きを駆動源とする駆動装置とを備え、給紙トレーを筐体に挿入したとき、駆動装置により保護カバーが筐体から所定距離だけ突出するようにしたので、給紙トレーを印刷装置に挿入するだけで自動的に保護カバーが筐体から所定距離だけ突出させて印刷媒体にゴミを付着させない印刷ができる状態にセットできるので操作者に印刷装置のセットやゴミに対する負担をかけることがない。また、駆動源が人力であるので駆動コストがからない。更に、駆動源が人力であるので負荷変動に対する考慮をする必要が無いので装置を単純化することができる。
【００１６】
また、請求項３に係る印刷装置では、給紙トレーを筐体から取外したとき、駆動装置により保護カバーが筐体の中に引き戻されるようにしたので、給紙トレーを印刷装置から取外すだけで印刷装置を運搬できる状態や収納できる状態にすることができ、操作者に印刷装置の取り扱いに対する負担をかけることがない。また、駆動源が人力であるので駆動コストがからない。更に、駆動源が人力であるので負荷変動に対する考慮をする必要が無いので装置を単純化することができる。
【００１７】
また、請求項４に係る印刷装置では、印刷媒体を印刷装置に供給する給紙トレーと、保護カバーを筐体から突出させる付勢部材と、付勢部材の付勢力を保留する保留手段と、保留手段の保留を解除する保留解除手段とを備え、給紙トレーを筐体に挿入したとき、給紙トレーが保留解除手段に作用して付勢部材の付勢力を解除し、保護カバーが付勢部材の付勢力により筐体から所定距離だけ突出するようにしたので、付勢部材に構造的に単純な弾性部材による付勢力を使用することにより電気エネルギのように補充を必要としない安定した付勢力を使用することができる。このため、本体の電気エネルギの消費を押さえることができる。更に、付勢部材に弾性部材を使用することによって、保護カバーを筐体に収納するときに弾性部材を圧縮状態又は伸縮状態にし、その状態を保持する部材（保留手段）を設ければその付勢力を減少させることなしに保留することができる。次にその付勢力をそのまま使用できるので、電気エネルギのように付勢力の減少を考慮する必要がない。また、付勢部材に構造的に単純な弾性部材による付勢力を使用するので、印刷装置の小型化が実現できる。そして、操作者は給紙トレーを筐体に挿入するだけで、給紙トレーが状態を保持する部材（保留手段）に作用して付勢力の保留を解除するので、弾性部材の付勢力が自動的に保護カバーを筐体から所定距離だけ突出させて印刷媒体にゴミを付着させない印刷ができる状態にセットする。そのため、操作者には印刷装置のセットやゴミに対する負担をかけることがない。
【００１８】
また、請求項５に係る印刷装置では、保護カバーを筐体から突出させる付勢部材と、付勢部材の付勢力を保留する保留手段と、保留手段の保留を解除する保留解除手段とを備え、保留解除手段を手動で操作することにより付勢部材の付勢力を解除し、保護カバーが付勢部材の付勢力により筐体から所定距離だけ突出するようにしたので、付勢部材に構造的に単純な弾性部材による付勢力を使用することにより電気エネルギのように補充を必要としない安定した付勢力を使用することができる。このため、本体の電気エネルギの消費を押さえることができる。更に、付勢部材に弾性部材を使用することによって、保護カバーを筐体に収納するときに弾性部材を圧縮状態又は伸縮状態にし、その状態を保持する部材（保留手段）を設ければその付勢力を減少させることなしに保留することができる。次にその付勢力をそのまま使用できるので、電気エネルギのように付勢力の減少を考慮する必要がない。また、付勢部材に構造的に単純な弾性部材による付勢力を使用するので、印刷装置の小型化が実現できる。そして、操作者は保留解除ボタンを手動で操作するだけで、保留解除ボタンの機構が状態を保持する部材（保留手段）に作用して付勢力の保留を解除するので、弾性部材の付勢力が自動的に保護カバーを筐体から所定距離だけ突出させて印刷媒体にゴミを付着させない印刷ができる状態にセットする。そのため、操作者には印刷装置のセットやゴミに対する負担をかけることがない。また、操作者は、保留解除ボタンを手動で操作することによって次に何が起こるか理解できる。
【００１９】
また、請求項６に係る印刷装置では、筐体から突出した保護カバーを筐体の内部に戻す操作を付勢部材の付勢力に抗して手動で行うようにしたので、電気エネルギ等の余分なエネルギを使用することなしに付勢部材に大きなエネルギを蓄積できる。この蓄積されたエネルギを利用して次に印刷装置を使用するときには、給紙トレーを挿入する、ボタンを押すなどの簡単な操作のみで保護カバーがセットされるので操作者に負担をかけることがない。
【００２０】
また、請求項７に係る印刷装置では、筐体の内部に収容可能に付設された保護カバーの筐体からの突出と筐体への挿入を手動操作にて行う手動操作機構を備えたので、装置を単純化することができる。また、保護カバーの筐体からの突出と筐体への挿入の複雑な機構を筐体の中に入れる必要がないので装置を薄く小型にすることができる。更に、人力を利用するので、保護カバーの筐体からの突出と筐体への挿入の負荷変動を考慮する必要がないため設計が簡略できる。
【００２１】
そして、請求項８に係る印刷装置では、保護カバーを中空形状にして筐体から突出する印刷媒体を内部で往復させて保護するようにしたので、印刷媒体が筐体から外部へ突出することによって付着していたゴミの付着を防止することができる。また、印刷媒体を水平にして搬送できるので、印刷媒体が筐体から外部へ突出するときに片持ち支持になって発生する印刷媒体の曲がりを防止することができる。
【発明を実施するための最良の形態】
【００２２】
以下、本発明に係る印刷装置について、具体化した実施形態に基づいて図面を参照しつつ詳細に説明する。
【００２３】
先ず、本第１実施形態に係る印刷装置の概略構成について図１乃至図１１に基づき説明する。
図１乃至図５に示すように、印刷装置１は、左右両側に配設される側壁３及び４を持つフレーム５等から構成される本体構造体２と、この側壁３に貫通される横長のリボンカセット孔６に側面側から嵌め込むことによって該フレーム５内に着脱自在に取り付けられるリボンカセット８と、印刷媒体としての用紙１０が複数枚積層状態で収納されて本体構造体２の前面側下部に前側から嵌め込んで装着される給紙トレー１１と、本体構造体２を包含する筐体７から構成されている。
【００２４】
また、筐体７には、往路の第１排紙口９と復路の第２排紙口１２が設けられ、印刷媒体としての用紙１０が印刷のために往復搬送されてそれぞれ二つの排紙口を介して筐体７から突出したとき、突出した印刷媒体としての用紙１０を覆って保護するために、第１排紙口９部に設けられ、用紙１０が往路搬送されているときには第１排紙口９から突出している後述の第１保護カバー１３と、第２排紙口１２部に設けられ、用紙１０が印刷のために復路搬送されているときには第２排紙口１２にセットされる後述の第２保護カバー１４とが設けられている。（図４参照）
尚、第１保護カバー１３は、ゴミから用紙１０を保護するために片方が開放された中空形状であることが望ましい。また、第２保護カバー１４は、印刷終了後に印刷された用紙１０を取り出すために両端が開放された中空形状であることが望ましい。さらに、第１保護カバー１３、第２保護カバー１４は、用紙１０の位置や印刷状態を見るために透明であることが望ましい。
【００２５】
また、本体構造体２のリボンカセット８に対向する上側には、長尺状のサーマルヘッド１５が前側下端縁部に配設されたヘッドユニット１６が配設されている。また、該ヘッドユニット１６の後端部は、フレーム５の各側壁３、４に各端縁部が軸支される回転軸１７を中心にして回動可能に取り付けられている。この回転軸１７にはトーションバネ１８が装着されており、このトーションバネ１８の一端は側壁４に係止され、他端は後述するヘッドユニット１６の各側壁３１、３２の後端３１Ａ、３２Ａに引っ掛けられている。そして、ヘッドユニット１６は、この回転軸１７に装着されたトーションバネ１８によって回転軸１７を中心に図４における時計方向回りに付勢されている。
【００２６】
また、ヘッドユニット１６の長手方向両端縁部の上側には、フレーム５の各側壁３、４の上端縁部に両端が軸支される回転軸２０に固定された一対のカム部材２１、２２が設けられている。
また、図８乃至図１１に示すように、この各カム部材２１、２２は、側面視略長四角形に形成され、一方の端縁部が回転軸２０に固定され、他方の端縁部は、円弧状に形成されて、滑らかにヘッドユニット１６上端面部に当接して摺動するように形成されている。また、一方のカム部材２１の外側側面部には、後側の側端縁部から前側方向に略１／４円弧状のカムギヤ２１Ａが形成されている。また、このカムギヤ２１Ａは、側壁４の後端縁部外側に配設されるステッピングモータ等によって構成されるヘッドモータ２４及びこの側壁４の内側面に配設される第１ギヤ列２５を介して正逆回転駆動される。そして、図４に示すように、リボンカセット８の着脱時には、ヘッドモータ２４を逆回転駆動して各カム部材２１、２２が略水平に位置するように後側方向に回動され、ヘッドユニット１６から離間するように駆動制御される。また、該ヘッドユニット１６は、トーションバネ１８によってリボンカセット８よりも上側に位置するように上方に回動される。また、後述のように、用紙１０に印刷する場合には、後述のようにヘッドモータ２４を正回転駆動して、ヘッドユニット１６は、用紙１０の搬送状態に合わせて下方に回動される（図１３〜図１８参照）。
【００２７】
また、図４乃至図６に示すように、このヘッドユニット１６の下端部のサーマルヘッド１５に対向する後端縁部に沿って、該サーマルヘッド１５よりも下側方向に突出する側断面略三角形状で樹脂製のリボンガイド部材２８が設けられている。このリボンガイド部材２８は、サーマルヘッド１５とほぼ同じ長さに形成され、リボンカセット８の開口部４６に挿入される（図１５〜図１７参照）。また、サーマルヘッド１５の上側は、ヘッドユニット１６の各側壁３１、３２間に横架される側面視クランク形の天板３３の前側部下面に固定されている。また、サーマルヘッド１５の上側には天板３３を挟んでバネ取付板３４が取り付けられている。そして、このバネ取付板３４の両端と天板３３との間には、バネ取付板３４と天板３３とが所定間隔を形成するようにヘッドバネ３５、３５が装着されている。このヘッドバネ３５、３５のバネ力は前記トーションバネ１８のバネ力よりも大きい。前記バネ取付板３４の中央部はその両端に比べて凹んでおり、その中央部にはカム板３４Ａが固着されている。このカム板３４Ａは、ヘッドユニット１６の各側壁３１、３２間に横架されており、その両端は側壁３１、３２近傍まで延びている。そして、カム板３４Ａの両端上面は前記カム部材２１、２２と当接する。前記バネ取付板３４Ａの中央部には、後側に向かって延びる支持部３４Ｂが形成され、この支持部３４Ｂは、前記天板３３に形成された係合孔３３Ａに差し込まれている。このことにより、バネ取付板３４及びカム板３４Ａは、上下方向に揺動可能となっている。尚、ヘッドバネ３５、３５により、サーマルヘッド１５は、印刷時に所定押圧力でプラテンローラ３７に押しつけられるように構成されている。
【００２８】
また、図１及び図４に示すように、リボンカセット８は、略円筒状のリボン収納部４１と、このリボン収納部４１に対向して設けられる略円筒状の巻取収納部４２と、両収納部４１、４２を連結する左右一対の連結部４３、４４によって一体化された略矩形状に構成され、中央部にサーマルヘッド１５とほぼ同じ幅のインクリボン４５の走行路が形成されるとともに、長尺状のサーマルヘッド１５及び横長のリボンガイド部材２８が上方から挿入される開口部４６が形成されている。また、このリボン収納部４１には、インクリボン４５の印刷面が外側になるように巻回されるリボンスプール４８が回転可能に収納されている。また、巻取収納部４２には、インクリボン４５の先端部が固着されるとともに、インクリボン４５が巻き取られるリボン巻取スプール４９が回転可能に収納されている。そして、ステッピングモータ等によって構成される用紙送りモータ５１を正逆回転駆動することによって第２ギヤ列５２を介して用紙１０の搬送に同期してリボンスプール４８及びリボン巻取スプール４９が正逆回転駆動され、インクリボン４５の往復搬送が可能に構成されている。
【００２９】
また、リボンカセット８は、各連結部４３、４４がプラテンローラ３７に近接して配設されるとともに、リボン収納部４１のインクリボン送出口、即ち開口部４６のリボン収納部４１側の端縁部が、プラテンローラ３７の上端縁部よりも上下方向の下側に位置するように、図４中、右側下がりに本体構造体２内に配設されている。従って、図４に示すように、本体構造体２内に装着されたリボンカセット８の開口部４６内のインクリボン４５は、サーマルヘッド１５とリボンガイド部材２８の下端部とを結ぶ平面とほぼ平行になるように配設されている。
【００３０】
また、図４に示すように、本体構造体２には、給紙トレー１１の前端部上方に、給紙トレー１１に収納された用紙１０の最上部を圧接しながら回転して、該用紙１０を１枚ずつ搬送する給紙ローラ５５が設けられている。また、この給紙ローラ５５の搬送方向下流側には、プラテンローラ３７の近傍位置に用紙１０を印刷開始位置まで回転して搬送する用紙送りローラ５６と、この用紙送りローラ５６に圧接されて回転可能に設けられるピンチローラ５７とが設けられている。また、用紙送りローラ５６とプラテンローラ３７の間には、該用紙送りローラ５６によって供給された用紙１０の先端部１０Ａ及び後端部１０Ｂを検出する先端・後端検出センサ５８が設けられている。
尚、先端・後端検出センサ５８は、光センサ、機械式スイッチ等が使用される。 
【００３１】
また、給紙ローラ５５の上側には、印刷された用紙を排出方向に案内するガイド片５９が揺動可能に設けられている。また、給紙ローラ５５の排出方向斜め上側には、ガイド片５９に沿って搬送されてきた用紙１０を回転して搬送する排出ローラ６１と、この排出ローラ６１に圧接されて回転可能に設けられるピンチローラ６２とが設けられている。
そして、用紙送りモータ５１を所定方向に回転駆動することによって第２ギヤ列５２を介して給紙ローラ５５及び用紙送りローラ５６が回転されて用紙１０が印刷開始位置まで搬送される。また、用紙送りモータ５１を所定方向に対して反対方向に回転駆動することによって第２ギヤ列５２を介してプラテンローラ３７、用紙送りローラ５６及び排出ローラ６１が回転されて、サーマルヘッド１５によって印刷された用紙１０が排出方向（図４中、左側方向）に搬送されて、この印刷が最終の印刷である場合には外部に排出される。
【００３２】
次に、上記のように構成された印刷装置１の制御系について図１２に基づいて説明する。
図１２に示すように、印刷装置１の制御系は制御回路部１１０を核として構成されている。この制御回路部１１０はＣＰＵ１１１、ＲＯＭ１１２、ＣＧＲＯＭ１１３、ＲＡＭ１１４、及び、入出力インターフェイス１１５から構成され、これらはバス線１１６を介して相互に接続されている。
【００３３】
ここに、ＲＯＭ１１２は各種のプログラムを記憶させておくものであり、例えば、後述の用紙１０を印刷開始位置に搬送するとともに、ヘッドモータ２４を回転駆動制御してヘッドユニット１６を下方向に回動させるプログラム等の印刷装置１の制御上必要な各種のプログラムが記憶されている。
そして、ＣＰＵ１１１はかかるＲＯＭ１１２に記憶されている各種のプログラムに基づいて各種の演算を行なうものである。
【００３４】
また、ＣＧＲＯＭ１１３には各キャラクタに対応するドットパターンデータが記憶されており、必要に応じてドットパターンデータがＣＧＲＯＭ１１３から読み出され、そのドットパターンデータに基づいてサーマルヘッド１５を介して用紙１０上にドットパターンが印刷される。
また、ＲＡＭ１１４はＣＰＵ１１１により演算された各種の演算結果等を一時的に記憶させておくためのものであり、テキストメモリ、イメージバッファ、印刷バッファ等の各
種のメモリエリアが設けられている。
【００３５】
また、入出力インターフェース１１５には、外部の制御ユニット１１７（以下、「ホストＰＣ」という。）、サーマルヘッド１５を駆動するヘッド駆動回路１１９、用紙１０の搬送等を行う用紙送りモータ５１を駆動するモータ駆動回路１２０、ヘッドユニット１６を上下方向に回動させてサーマルヘッド１５の圧着・リリース等を行うヘッドモータ２４を駆動するモータ駆動回路１２１、そして、用紙送りローラ５６によって搬送される用紙１０の先端部１０Ａ、後端部１０Ｂを検出する先端・後端検出センサ５８が接続されている。
【００３６】
次に、このように構成された印刷装置１を使用するための装置セットと、印刷装置１の用紙送りモータ５１を回転駆動制御して用紙１０を印刷開始位置に搬送するとともに、ヘッドモータ２４を回転駆動制御してヘッドユニット１６を下方向に回動させる制御処理をし、さらに、印刷を行う動作について図１３乃至図２４に基づいて説明する。
【００３７】
先ず、印刷装置１を使用するための装置セットについて図１９乃至図２４に基づいて説明する。
図１９に示すように、第１保護カバー１３は、保護カバー送り機構６５によって第１排紙口９を介して筐体７の内部に収納されている。また、第２保護カバー１４は、第１蝶番６６に係止されて筐体７に収納されている。
そして、図２０に示すように、保護カバー送り機構６５は、第１保護カバー１３に接続する第１ラックギヤ６７と、第１ラックギヤ６７とギヤ結合する二段ギヤ６８の一方を構成する第１ギヤ６８Ａと、二段ギヤ６８の他方を構成する第２ギヤ６８Ｂと、第２ギヤ６８Ｂとギヤ結合する第３ギヤ６９と、第３ギヤ６９とギヤ結合し、さらに後述する給紙トレー１１の係止孔７３と連結するためのフック部７１と位置決めリブ７２を有する第２ラックギヤ７０とから構成され、それぞれが可動状態で図示しない係止部材によって本体構造体２に取り付けられている。
【００３８】
次に、第１保護カバー１３が保護カバー送り機構６５によって筐体７の外部に突出する行程を図２１乃至図２４に基づいて説明する。
先ず、図２１に示すように、給紙トレー１１を矢印Ａの方向に斜めから用紙トレー挿入口７４に挿入する。給紙トレー１１が第２ラックギヤ７０の位置決めリブ７２に当接したとき、給紙トレー１１を矢印Ｂの方向に押し下げると給紙トレー１１の係止孔７３と第２ラックギヤ７０のフック部７１が係止され、給紙トレー１１と第２ラックギヤ７０は連結される。
続いて、矢印Ｃの方向に給紙トレー１１の押込みを開始すると第２ラックギヤ７０は給紙トレー１１が第２ラックギヤ７０の位置決めリブ７２を押圧することによって矢印Ｄの方向に移動する。このとき、第２ラックギヤ７０とギヤ結合している第３ギヤ６９は矢印Ｅの方向に回転し、第３ギヤ６９とギヤ結合している二段ギヤ６８の他方を構成する第２ギヤ６８Ｂは矢印Ｆの方向に回転する。そして、二段ギヤ６８の一方を構成する第１ギヤ６８Ａは、矢印Ｆの方向と同様に矢印Ｇの方向に回転する。このとき、第１ギヤ６８Ａとギヤ結合している第１ラックギヤ６７は矢印Ｈの方向に移動し、これによって、第１ラックギヤ６７に接続している第１保護カバー１３の矢印Ｈ方向への移動が開始される。
【００３９】
更に、図２３、図２４に示すように、矢印Ｃの方向に給紙トレー１１の押込みを継続することによって、第２ラックギヤ７０は矢印Ｄの方向にさらに移動し、第２ラックギヤ７０とギヤ結合している第３ギヤ６９は矢印Ｅの方向にさらに回転し、第３ギヤ６９とギヤ結合している二段ギヤ６８の他方を構成する第２ギヤ６８Ｂは矢印Ｆの方向にさらに回転する。そして、二段ギヤ６８の一方を構成する第１ギヤ６８Ａは、矢印Ｆの方向と同様に矢印Ｇの方向にさらに回転する。このとき、第１ギヤ６８Ａとギヤ結合している第１ラックギヤ６７は矢印Ｈの方向にさらに移動し、これによって、第１ラックギヤ６７に接続している第１保護カバー１３は、筐体７から矢印Ｈの方向へ突出される。
そして、図２３に示すように、第２保護カバー１４は、第２保護カバー１４に設けられたラッチ部６４Ａを筐体７に設けられたラッチ部６４Ｂから外し、第１蝶番６６を中心に矢印Ｉ方向に回動して第２排紙口１２を覆うように手動でセットされる。これによって印刷装置１の装置セットは完了する。
尚、第１保護カバー１３の突出量は、保護カバー送り機構６５のギヤ比を調整することによって自由に調整することができる。
【００４０】
また、第１保護カバー１３と第２保護カバー１４を筐体７に収納する場合は上述の逆を行えばよい。即ち、まず第２保護カバー１４は、第２保護カバー１４を矢印Ｉと反対の方向に第１蝶番６６を中心に回動して筐体７に手動で収納し、第２保護カバー１４に設けられたラッチ部６４Ａを筐体７に設けられたラッチ部６４Ｂに係止する。次に、第１保護カバー１３に対しては以下の行程で行う。先ず、給紙トレー１１を矢印Ｃとは反対方向に引出す。これによって、給紙トレー１１の係止孔７３に係止されている第２ラックギヤ７０のフック部７１が矢印Ｃとは反対方向に引かれ、第２ラックギヤ７０は矢印Ｄとは反対方向に移動する。このとき、第２ラックギヤ７０とギヤ結合している第３ギヤ６９は矢印Ｅとは反対方向に回転し、第３ギヤ６９とギヤ結合している二段ギヤ６８の他方を構成する第２ギヤ６８Ｂは矢印Ｆとは反対方向に回転する。そして、二段ギヤ６８の一方を構成する第１ギヤ６８Ａは、矢印Ｆの反対方向と同様に矢印Ｇとは反対方向に回転する。このとき、第１ギヤ６８Ａとギヤ結合している第１ラックギヤ６７は矢印Ｈとは反対方向に移動する。これによって、第１ラックギヤ６７に接続している第１保護カバー１３は、筐体７に収納される。
そして、給紙トレー１１を矢印Ｂとは反対方向に引き上げ、矢印Ａとは反対の方向に引き上げて給紙トレー１１を印刷装置１から取り外すことによって図１９の状態に戻すことができる。
【００４１】
続いて、印刷装置１の用紙送りモータ５１を回転駆動制御して用紙１０を印刷開始位置に搬送するとともに、ヘッドモータ２４を回転駆動制御してヘッドユニット１６を下方向に回動させる制御処理をし、さらに、印刷を行う動作について図１３乃至図１８に基づいて説明する。
図１３に示すように、先ず、ステップ（以下、Ｓと略記する）１において、ＣＰＵ１１１は、ヘッドモータ２４を逆回転駆動して第１ギヤ列２５を介してカムギヤ２１Ａを側面視反時計方向に角度約９０度回転させて、各カム部材２１、２２を略水平に位置するように回動させ、カム板３４Ａから離間させる。これにより、ヘッドユニット１６は、トーションバネ１８の作用により回転軸１７を中心として時計方向に回動して、ヘッドユニット１６の前側部を上側に向かって移動させる。このことにより、サーマルヘッド１５とリボンガイド部材２８の下端部は、リボンカセット８の上側に位置することとなり、リボンカセット８の着脱が可能となる（第１状態）。
【００４２】
そして、Ｓ２において、ホストＰＣ１１７から印刷開始指示が出力された場合には、ＣＰＵ１１１は、用紙送りモータ５１を所定方向に回転駆動して第２ギヤ列５２を介して給紙ローラ５５、用紙送りローラ５６を回転駆動して、用紙１０の搬送を開始する。
また、Ｓ３において、ＣＰＵ１１１は、先端・後端検出センサ５８によって用紙１０の先端部１０Ａを検出した場合には、用紙送りモータ５１の回転速度から該用紙１０がプラテンローラ３７に到達するまでの時間を算出し、この算出した時間内にヘッドモータ２４を正方向に所定時間（所定ステップ数）回転駆動して、第１ギヤ列２５を介してカムギヤ２１Ａを回転角度約２５度〜３５度時計方向に回転させて各カム部材２１、２２をカム板３４Ａ上面に当接させて、さらにカム板３４Ａ上を摺動させる。このカム部材２１、２２の摺動により、カム板３４Ａ及びバネ取付板３４が下方に向かって押し下げられるとともに、ヘッドバネ３５を介して天板３３の前側部が押し下げられる。このことにより、ヘッドユニット１６がトーションバネ１８のバネ力に抗して図１４における反時計回りに所定距離回動されて、サーマルヘッド１５とガイド部材２８の下端面が下方向に移動して開口部４６内のインクリボン４５の近傍に位置することとなる（第２状態）。
【００４３】
例えば、図１４に示すように、ＣＰＵ１１１は、先端・後端検出センサ５８によって用紙１０の先端１０Ａを検出した場合には、用紙送りモータ５１の回転速度から該用紙１０がプラテンローラ３７に到達するまでの時間を算出し、この算出した時間内にヘッドモータ２４を正方向に所定時間（所定ステップ数）回転駆動して、第１ギヤ列２５を介してカムギヤ２１Ａを回転角度約３０度時計方向に回転させて各カム部材２１、２２をカム板３４Ａ上面に当接させて、さらにカム板３４Ａ上を摺動させる。この摺動により、上述したようにヘッドユニット１６が図１４の反時計回りに回動する。
これにより、図１５に示すように、用紙１０が給紙ローラ５５及び用紙送りローラ５６の回転によって搬送されて、該用紙１０の先端部１０Ａがプラテンローラ３７に到達した時には、サーマルヘッド１５とガイド部材２８の各下端面が下方に向かって移動してリボンカセット８のインクリボン４５の近傍に位置している。
【００４４】
続いて、Ｓ４において、ＣＰＵ１１１は、Ｓ３で算出した用紙１０がプラテンローラ３７に到達するまでの時間が経過するのを待つ、即ち、用紙１０の先端部１０Ａがプラテンローラ３７上端部を通過するのを待つ（Ｓ４：ＮＯ）。
そして、用紙１０の先端部１０Ａがプラテンローラ３７上端部を通過した場合には（Ｓ４：ＹＥＳ）、Ｓ５において、ＣＰＵ１１１は、用紙送りモータ５１の回転速度から該用紙１０がプラテンローラ３７上を通過してインクリボン４５の近傍位置（例えば、インクリボン４５から０．５ｍｍ〜２ｍｍの位置である。）に到達するまでの時間を算出し、この算出した時間内にヘッドモータ２４を正方向に所定時間（所定ステップ数）回転駆動して、第１ギヤ列２５を介してカムギヤ２１Ａを回転角度約４５〜６０度時計方向に回転させて各カム部材２１、２２をカム板３４Ａ上面上でさらに摺動させる。このカム部材２１、２２の摺動により、カム板３４Ａ及びバネ取付板３４がさらに下方に向かって押し下げられるとともに、ヘッドバネ３５を介して天板３３の前側部もさらに押し下げられる。このことにより、ヘッドユニット１６もさらに図１５における反時計回りに所定距離回動されて、サーマルヘッド１５とリボンガイド部材２８の下端面が下方向に移動して、インクリボン４５を側面視斜め右下がりに下側方向に向かって押下し、該インクリボン４５に衝突した用紙１０の先端部１０Ａをインリボン４５を介して下側方向に押下可能な位置にセットされる（第３状態）。
【００４５】
例えば、図１６に示すように、ＣＰＵ１１１は、ヘッドモータ２４を正方向に所定時間（所定ステップ数）回転駆動して、第１ギヤ列２５を介してカムギヤ２１Ａを回転角度約５５度時計方向に回転させて各カム部材２１、２２をカム板３４Ａ上面上でさらに摺動させる。このさらなる摺動により、上述したように、ヘッドユニット１６がさらに反時計回りに回動する。これにより、プラテンローラ３７を通過して水平に搬送された用紙１０の先端部１０Ａは、ヘッドユニット１６の回動に伴って下方に移動したサーマルヘッド１５とリボンガイド部材２８の下端面によって側面視斜め右下がりに押下されたインクリボン４５に当接することとなる。このため、用紙１０の先端部１０Ａは、このインクリボン４５の下面に沿って斜め右下方向に案内され、リボン収納部４１のリボン送出口よりも下側向きに案内される。
【００４６】
そして、Ｓ６において、ＣＰＵ１１１は、上記Ｓ３で先端・後端検出センサ５８によって用紙１０の先端部１０Ａを検出してから該用紙１０が印刷開始位置まで搬送される時間を用紙送りモータ５１の回転速度に基づいて算出し、先端・後端検出センサ５８によって用紙１０の先端部１０Ａを検出した時からこの算出した時間が経過するのを待つ、即ち、用紙１０が給紙ローラ５５及び用紙送りローラ５６の回転によって印刷開始位置まで搬送されるのを待つ（Ｓ６：ＮＯ）。
そして、用紙１０が給紙ローラ５５及び用紙送りローラ５６の回転によって印刷開始位置まで搬送された場合には（Ｓ６：ＹＥＳ）、Ｓ７に移行し、ＣＰＵ１１１は、用紙送りモータ５１を停止するとともに、ヘッドモータ２４を正方向に所定時間（所定ステップ数）回転駆動して、第１ギヤ列２５を介してカムギヤ２１Ａを回転角度約８５〜９５度時計方向に回転させて各カム部材２１、２２をカム板３４Ａ上面上でさらに摺動させて、各カム部材２１、２２を側面視垂直な状態にする。これにより、カム板３４Ａ及びバネ取付板３４がさらに下方に向かって押し下げられるとともに、ヘッドバネ３５を介して天板３３の前側部もさらに押し下げられる。このことにより、ヘッドユニット１６が更に下方向に所定距離回動されて、サーマルヘッド１５がさらに下方に移動してインクリボン４５及び用紙１０をプラテンローラ３７に圧接する位置にセットされる（第４状態）。また、リボンガイド部材２８の下端面も下方に移動してインクリボン４５を側面視斜め右下がりに下側方向に更に押下する位置にセットされる（第４状態）。
【００４７】
例えば、図１７に示すように、用紙１０は、給紙ローラ５５及び用紙送りローラ５６の回転によってインクリボン４５の下面に沿って搬送され、リボン収納部４１のリボン送出口でジャムすること無く、印刷開始位置まで搬送される。そして、用紙送りモータ５１が停止され、用紙１０の後端部１０Ｂが用紙送りローラ５６とピンチローラ５７とによって挟持される。また、カムギヤ２１Ａが約９５度回転されて、各カム部材２１、２２が側面視垂直な状態となってサーマルヘッド１５がインクリボン４５と用紙１０をプラテンローラ３７に圧接するとともに、該サーマルヘッド１５が用紙１０の印刷開始位置に対向することとなる。
このとき、用紙１０の先端部１０Ａは、筐体７から第１排紙口９を介して突出するのであるが、実際は、筐体７の第１排紙口９から突出している第１保護カバー１３の中を移動する。このため、用紙１０は筐体７の外に曝されることがないので上下四方からのゴミを用紙１０に付着させてサーマルヘッド１５、インクリボン４５、プラテンローラ３７の印刷手段まで取り込んでしまい、用紙１０に対する印刷品質を低下させてしまうということはない。
【００４８】
続いて、Ｓ８において、ＣＰＵ１１１は、用紙送りモータ５１を反対方向に回転駆動してプラテンローラ３７、用紙送りローラ５６及び排出ローラ６１を回転駆動して、用紙１０を復路搬送しつつ、サーマルヘッド１５を介してＲＡＭ１１４の印刷バッファに格納されている印刷データの印刷を開始する。そして、ＣＰＵ１１１は、印刷が終了しても用紙１０を復路搬送し、先端・後端検出センサ５８が用紙１０の先端部１０Ａを検出すると搬送を一旦停止する。
【００４９】
例えば、図１８に示すように、印刷開始位置にあった用紙１０は、サーマルヘッド１５を介して印刷されつつ、プラテンローラ３７、用紙送りローラ５６の回転によって復路搬送される。そして、リボンカセット８の巻取収納部４２の下側を通過した用紙１０の後端部１０Ｂは、ガイド片５９に当接して斜め上方向に案内されて排出ローラ６１とピンチローラ６２とによって筐体７から第２排紙口１２を介して突出し、先端・後端検出センサ５８が用紙１０の先端部１０Ａを検出することによって一旦停止する。
このとき、用紙１０の後端部１０Ｂは、前述のように筐体７から第２排紙口１２を介して突出するのであるが、実際は、筐体７の第２排紙口１２近傍から突出している第２保護カバー１４の中を移動する。そして、先端・後端検出センサ５８が用紙１０の先端部１０Ａを検出して一旦停止しても用紙１０は、第２保護カバー１４の中で停止している。このため、用紙１０は、筐体７の外に曝されないので上下四方からのゴミを用紙１０に付着させてサーマルヘッド１５、インクリボン４５、プラテンローラ３７の印刷手段まで取り込んでしまい、用紙１０に対する印刷品質を低下させてしまうということはない。
【００５０】
そして、Ｓ９において、ＣＰＵ１１１は、用紙１０への印刷が所定の印刷回数であるか判定する。そこで、印刷回数が所定の印刷回数でなければ（Ｓ９：ＮＯ）、Ｓ１に戻って所定の印刷回数になるまで繰り返す。そして、印刷回数が所定の印刷回数であれば（Ｓ９：ＹＥＳ）、印刷が終了したので用紙１０は排出ローラ６１とピンチローラ６２とによって筐体７の外部に第２排紙口１２を介し、第２保護カバー１４を経由して排出される。（図３１参照）
【００５１】
ここで、サーマルヘッド１５、ヘッドユニット１６、インクリボン４５、プラテンローラ３７は、印刷媒体としての用紙１０に印刷をするための印刷手段を構成する。また、用紙送りモータ５１、第２ギヤ列５２、給紙ローラ５５、用紙送りローラ５６、ピンチローラ５７、プラテンローラ３７、排出ローラ６１、ピンチローラ６２は、印刷媒体としての用紙１０を往復搬送する搬送手段を構成する。更に、給紙トレー１１、第１ラックギヤ６７、二段ギヤ６８、第３ギヤ６９、第２ラックギヤ７０、フック部７１、位置決めリブ７２、係止孔７３は、給紙トレー１１を駆動源とする駆動装置を構成する。
【００５２】
以上詳細に説明した通り本第１実施形態に係る印刷装置１では、印刷媒体としての用紙１０に対するサーマルヘッド１５、ヘッドユニット１６、インクリボン４５、プラテンローラ３７で構成される印刷手段と用紙送りモータ５１、第２ギヤ列５２、給紙ローラ５５、用紙送りローラ５６、ピンチローラ５７、プラテンローラ３７、排出ローラ６１、ピンチローラ６２で構成される搬送手段とを包含する筐体７の内部に収容可能に付設され、印刷時には筐体７の内部より引き出され、搬送手段の往路搬送により筐体７から突出する用紙１０の少なくとも上面を覆う第１保護カバー１３を備えたので、用紙１０を印刷装置１の外部に曝すことはない。そのため、周囲からのゴミの侵入と用紙１０へのゴミの付着が防止でき、その結果、ゴミを用紙１０に付着させたまま印刷手段まで取り込んでしまうことが防止できるので用紙１０に対する印刷品質を向上させることができる。そして、用紙１０を印刷装置１から突出させて印刷してもゴミの影響を考慮する必要が無いので印刷装置１の小型化が図れる。
【００５３】
また、用紙１０を印刷装置１に供給する給紙トレー１１と、給紙トレー１１を筐体７に着脱する操作に伴う給紙トレー１１の動きを駆動源とする給紙トレー１１、第１ラックギヤ６７、二段ギヤ６８、第３ギヤ６９、第２ラックギヤ７０、フック部７１、位置決めリブ７２、係止孔７３で構成される駆動装置とを備え、給紙トレー１１を筐体７に挿入したとき、駆動装置により第１保護カバー１３が筐体７から所定距離だけ突出するようにしたので、給紙トレー１１を印刷装置１に挿入するだけで自動的に第１保護カバー１３が筐体７から所定距離だけ突出させて用紙１０にゴミを付着させない印刷ができる状態にセットできるので操作者に印刷装置１のセットやゴミに対する負担をかけることがない。また、駆動源が人力であるので駆動コストがからない。更に、駆動源が人力であるので負荷変動に対する考慮をする必要が無いので装置を単純化することができる。
【００５４】
また、給紙トレー１１を筐体７から取外したとき、駆動装置により第１保護カバー１３が筐体７の中に引き戻されるようにしたので、給紙トレー１１を印刷装置１から取外すだけで印刷装置１を運搬できる状態や収納できる状態にすることができ、操作者に印刷装置１の取り扱いに対する負担をかけることがない。また、駆動源が人力であるので駆動コストがからない。更に、駆動源が人力であるので負荷変動に対する考慮をする必要が無いので装置を単純化することができる。
【００５５】
そして、第１保護カバー１１を中空形状にして筐体７から突出する用紙１０を内部で往復させて保護するようにしたので、用紙１０が筐体７から外部へ突出することによって付着していたゴミの付着を防止することができる。また、用紙１０を水平にして搬送できるので、用紙１０が筐体７から外部へ突出するときに片持ち支持になって発生する用紙１０の曲がりを防止することができる。
また、同様に、第２保護カバー１４も中空形状にして筐体７から突出する用紙１０を内部で往復させて保護するようにしたので、用紙１０が筐体７から外部へ突出することによって付着していたゴミの付着を防止することができる。また、用紙１０を水平にして搬送できるので、用紙１０が筐体７から外部へ突出するときに片持ち支持になって発生する用紙１０の曲がりを防止することができる。
【００５６】
次に、本発明に係る第２実施形態を図２５、図２６に基づいて説明する。本第２実施形態に係る印刷装置１は、第１実施形態に係る印刷装置１と印刷媒体としての用紙１０に印刷する印刷機構は基本的に同じであるが、用紙１０をゴミから保護する保護機構のセットと収納の仕方において、第１実施形態に係る印刷装置１では給紙トレー１１の装着及び脱着に連動しているのに対し、本第２実施形態に係る印刷装置１では給紙トレー１１の装着に連動して保護機構のセットを行い、手動で保護機構の収納を行うように分けている点が異なる。本第２実施形態に係る印刷装置１では、上述のような第１実施形態に係る印刷装置１と異なるポイントを説明し、使用する符号は同一機能のものは同一の符号を使用する。
【００５７】
先ず、用紙１０をゴミから保護する保護機構の構成を図２５、図２６に基づいて説明する。
図２５、図２６に示すように印刷装置１は、用紙１０に印刷する印刷手段、用紙１０を搬送する搬送手段及び本体構造体２を包含する筐体７と、本体構造体２の前面側下部に前側から嵌め込んで装着される給紙トレー１１とから構成されている。
そして、筐体７には、用紙１０の往路の第１排紙口９と復路の第２排紙口１２が設けられ、用紙１０が印刷のために往復搬送されてそれぞれ二つの排紙口を介して筐体７から突出したとき、突出した印刷媒体としての用紙１０を覆って保護するために、第１排紙口９部に設けられ、用紙１０が往路搬送されているときには第１排紙口９から突出している第１保護カバー１３と、第２排紙口１２部に設けられ、用紙１０が印刷のために復路搬送されているときには第２排紙口１２にセットされる第２保護カバー１４とが設けられている。
【００５８】
ここで、一方の第１保護カバー１３の開口端部７５の近傍には先端が側面視円弧状に形成された係止リブ７６が設けられており、この係止リブ７６には第１弾性部材７７の一方の端部７７Ａが係止されている。そして、第１弾性部材７７の他方の端部７７Ｂは、本体構造体２に設けられた第１固定部７８に係止されている。また、係止リブ７６は、第１保護カバー１３が第１弾性部材７７の付勢力に抗して筐体７に収納されたとき、本体構造体２に設けた軸７９を中心に回動するロック部材８０の一方の端部（図２５中左側）に設けられ、第２弾性部材８１の上方への付勢力によって上方に付勢される先端が側面視円弧状に形成されたロック爪８２によってロックされる構成になっている。即ちこれによって、第１保護カバー１３は所定の位置にロックされる構成になっている。そして、第２弾性部材８１は、ロック部材８０のロック爪８２と本体構造体２に設けられた第２固定部９７の間に係止される構成になっている。
【００５９】
更に、ロック部材８０の他方の端部（図２５中右側）には側面視円筒状に形成されたロック解除受け部８３が設けられている。このロック解除受け部８３は、ロック解除アーム部材８４と組み合わせることによって、給紙トレー１１が用紙トレー挿入口７４から挿入されてロック解除アーム部材８４の一方の端部（図２５中左側）に形成された押圧リブ８５を押圧してロック解除アーム部材８４を矢印Ｊの方向に移動させたとき、ロック解除アーム部材８４の他方の端部（図２５中右側）に側面視三角形に形成されたロック解除端部８６と当接し、軸７９を中心に第２弾性部材８１の付勢力に抗して矢印Ｋ方向に回動して係止リブ７６とロック爪８２のロックを解除するように構成されている。そして、ロック解除アーム部材８４は、ロック解除アーム部材８４の押圧リブ８５と本体構造体２に設けられた第３固定部８７の間で係止されている第３弾性部材８８によって第３固定部８７側に常に引かれるように構成されている。
そして、他方の第２保護カバー１４は、第１蝶番６６で回動するように筐体７に係止され、第２保護カバー１４に設けられたラッチ部６４Ａを筐体７に設けられたラッチ部６４Ｂに係止して収納されている。
【００６０】
続いて、このように構成された印刷装置１を使用するために図２５から図２６にセットする方法を説明する。
先ず、給紙トレー１１を印刷装置１の用紙トレー挿入口７４から挿入する。このとき、給紙トレー１１がロック解除アーム部材８４の押圧リブ８５を、ロック解除アーム部材８４の押圧リブ８５と本体構造体２に設けられた第３固定部８７の間で係止されている第３弾性部材８８の引張力に抗して押すことによって、ロック解除アーム部材８４を矢印Ｊの方向に移動させる。この移動が進むとロック解除アーム部材８４のロック解除端部８６とロック部材８０のロック解除受け部８３が当接し、さらに移動が進んだとき、ロック解除端部８６がロック解除受け部８３を第２弾性部材８１の付勢力に抗して軸７９を中心に矢印Ｋ方向に回動させる。この動作によって、ロックされていた第１保護カバー１３の係止リブ７６とロック部材８０のロック爪８２のロックが解除される。この結果、第１保護カバー１３の係止リブ７６と本体構造体２に設けられた第１固定部７８との間で係止されている第１弾性部材７７の付勢力が開放され、この付勢力によって第１保護カバー１３は、筐体７から第１排紙口９を介して所定の位置まで突出する。
そして、第２保護カバー１４は、第２保護カバー１４に設けられたラッチ部６４Ａを筐体７に設けられたラッチ部６４Ｂから外し、第１蝶番６６を中心に矢印Ｉ方向に回動して第２排紙口１２を覆うように手動でセットされる。これによって印刷装置１は、図２５から図２６の状態になって装置のセットは完了する。
【００６１】
また、印刷装置１の状態を図２６から図２５に戻すときは、先ず、給紙トレー１１を印刷装置１の用紙トレー挿入口７４から抜き取る。すると、ロック解除アーム部材８４は、押圧リブ８５、ロック解除端部８６とともにロック解除アーム部材８４の押圧リブ８５と本体構造体２に設けられた第３固定部８７の間で係止されている第３弾性部材８８の引張力によって矢印Ｊと反対方向に移動して所定の位置に戻る。次に、第１保護カバー１３の係止リブ７６と本体構造体２に設けられた第１固定部７８との間で係止されている第１弾性部材７７の付勢力に抗して第１保護カバー１３を筐体７の内部に第１排紙口９を介して手動で挿入する。このとき、第１保護カバー１３の係止リブ７６が、ロック部材８０のロック爪８２と本体構造体２に設けられた第２固定部９７の間に係止された第２弾性部材８１の付勢力によって付勢されたロック爪８２を乗り越える。この乗り越えによって第１保護カバー１３の係止リブ７６とロック部材８０のロック爪８２がロックされて、第１保護カバー１３は所定の位置にロックされる。
そして、第２保護カバー１４を矢印Ｉと反対の方向に第１蝶番６６を中心に回動して筐体７に手動で収納し、第２保護カバー１４に設けられたラッチ部６４Ａを筐体７に設けられたラッチ部６４Ｂに係止する。これによって印刷装置１は、図２６から図２５の状態に戻る。
【００６２】
ここで、係止リブ７６、軸７９、ロック部材８０、第２弾性部材８１、ロック爪８２、ロック解除受け部８３、第２固定部９７は、付勢部材としての第１弾性部材７７の付勢力を保留する保留手段を構成する。また、給紙トレー１１、係止リブ７６、軸７９、ロック部材８０、第２弾性部材８１、ロック爪８２、ロック解除受け部８３、第２固定部９７、ロック解除アーム部材８４、押圧リブ８５、ロック解除端部８６、第３固定部８７、第３弾性部材８８は、保留解除手段を構成する。
【００６３】
以上詳細に説明した通り本第２実施形態に係る印刷装置１では、印刷媒体としての用紙１０を印刷装置１に供給する給紙トレー１１と、第１保護カバー１３を筐体７から突出させる付勢部材としての第１弾性部材７７と、第１弾性部材７７の付勢力を保留する係止リブ７６、軸７９、ロック部材８０、第２弾性部材８１、ロック爪８２、ロック解除受け部８３、第２固定部９７で構成される保留手段と、保留手段の保留を解除する給紙トレー１１、係止リブ７６、軸７９、ロック部材８０、第２弾性部材８１、ロック爪８２、ロック解除受け部８３、第２固定部９７、ロック解除アーム部材８４、押圧リブ８５、ロック解除端部８６、第３固定部８７、第３弾性部材８８で構成される保留解除手段とを備え、給紙トレー１１を筐体７に挿入したとき、給紙トレー１１が保留解除手段に作用して第１弾性部材７７の付勢力を解除し、第１保護カバー１３が第１弾性部材７７の付勢力により筐体７から所定距離だけ突出するようにしたので、付勢部材に構造的に単純な第１弾性部材７７による付勢力を使用することにより電気エネルギのように補充を必要としない安定した付勢力を使用することができる。このため、本体の電気エネルギの消費を押さえることができる。更に、付勢部材に第１弾性部材７７を使用することによって、第１保護カバー１３を筐体７に収納するときに第１弾性部材７７を圧縮状態又は伸縮状態にし、その状態を保持する部材（保留手段）を設ければその付勢力を減少させることなしに保留することができる。次にその付勢力をそのまま使用できるので、電気エネルギのように付勢力の減少を考慮する必要がない。また、付勢部材に構造的に単純な第１弾性部材７７による付勢力を使用するので、印刷装置１の小型化が実現できる。そして、操作者は給紙トレー１１を筐体７に挿入するだけで、給紙トレー１１が圧縮状態又は伸縮状態を保持する部材（保留手段）に作用して付勢力の保留を解除するので（保留解除手段）、第１弾性部材７７の付勢力が自動的に第１保護カバー１３を筐体７から所定距離だけ突出させて、用紙１０にゴミを付着させない印刷ができる状態にセットする。そのため、操作者には印刷装置１のセットやゴミに対する負担をかけることがない。
【００６４】
そして、筐体７から突出した第１保護カバー１３を筐体７の内部に戻す操作を第１弾性部材７７の付勢力に抗して手動で行うようにしたので、電気エネルギ等の余分なエネルギを使用することなしに第１弾性部材７７に大きなエネルギを蓄積できる。この蓄積されたエネルギを利用して次に印刷装置１を使用するときには、給紙トレー１１を挿入する簡単な操作のみで第１保護カバー１３がセットされるので操作者に負担をかけることがない。
【００６５】
次に、本発明に係る第３実施形態を図２７、図２８に基づいて説明する。本第３実施形態に係る印刷装置１は、第１実施形態及び第２実施形態に係る印刷装置１と印刷媒体としての用紙１０に印刷する印刷機構は基本的に同じであるが、用紙１０をゴミから保護する保護機構のセットと収納の仕方において、第１実施形態に係る印刷装置１では給紙トレー１１の装着及び脱着に連動し、第２実施形態に係る印刷装置１では給紙トレー１１の装着に連動して保護機構のセットを行い、手動で保護機構の収納を行うように分けているのに対し、本第３実施形態に係る印刷装置１では給紙トレー１１の装着及び脱着に関係なく機械的に保護機構のセットを行い、手動で保護機構の収納を行うようにしている点が異なる。本第３実施形態に係る印刷装置１では、上述のような第１実施形態及び第２実施形態に係る印刷装置１と異なるポイントを説明し、使用する符号は同一機能のものは同一の符号を使用する。
【００６６】
先ず、用紙１０をゴミから保護する保護機構の構成を図２７、図２８に基づいて説明する。
図２７、図２８に示すように印刷装置１は、用紙１０に印刷する印刷手段、用紙１０を搬送する搬送手段及び本体構造体２を包含する筐体７と、本体構造体２の前面側下部に前側から嵌め込んで装着される給紙トレー１１とから構成されている。
そして、筐体７には、用紙１０の往路の第１排紙口９と復路の第２排紙口１２が設けられ、用紙１０が印刷のために往復搬送されてそれぞれ二つの排紙口を介して筐体７から突出したとき、突出した印刷媒体としての用紙１０を覆って保護するために、第１排紙口９部に設けられ、用紙１０が往路搬送されているときには第１排紙口９から突出している第１保護カバー１３と、第２排紙口１２部に設けられ、用紙１０が印刷のために復路搬送されているときには第２排紙口１２にセットされる第２保護カバー１４とが設けられている。
【００６７】
ここで、一方の第１保護カバー１３の開口端部７５の近傍には係止リブ７６が設けられており、この係止リブ７６には第１弾性部材７７の一方の端部７７Ａが係止されている。そして、第１弾性部材７７の他方の端部７７Ｂは、本体構造体２に設けられた第１固定部７８に係止されている。また、第１保護カバー１３に設けられたロック孔８９に、第１保護カバー１３が第１弾性部材７７の付勢力に抗して筐体７に収納されたとき、本体構造体２に設けた軸７９を中心に回動するロック部材８０の一方の端部（図２７中左側）に設けられ、第２弾性部材８１の下方への付勢力によって下方に付勢される先端が側面視円弧状に形成されたロック爪８２が係止される構成になっている。即ちこれによって、第１保護カバー１３は所定の位置にロックされる構成になっている。そして、第２弾性部材８１は、ロック部材８０のロック爪８２と本体構造体２に設けられた第２固定部９７との間に係止される構成になっている。
【００６８】
更に、ロック部材８０の他方の端部（図２７中右側）には上面が側面視円弧状に形成されたロック解除ボタン９０が第２弾性部材８１の付勢力に抗して手動で押下できるように筐体７の外部に設けられている。即ち、このロック解除ボタン９０を押下することによって、第１保護カバー１３に設けられたロック孔８９とロック部材８０のロック爪８２とのロックが解除される構成になっている。
そして、他方の第２保護カバー１４は、第１蝶番６６で回動するように筐体７に係止され、第２保護カバー１４に設けられたラッチ部６４Ａを筐体７に設けられたラッチ部６４Ｂに係止して収納されている。
【００６９】
続いて、このように構成された印刷装置１を使用するために図２７から図２８にセットする方法を説明する。
先ず、給紙トレー１１を印刷装置１の用紙トレー挿入口７４から挿入する。そして、手動でロック部材８０のロック解除ボタン９０が押下されると、ロック部材８０のロック爪８２が、第２弾性部材８１による下方への付勢力に抗して本体構造体２に設けた軸７９を中心に矢印Ｌの方向に回動する。この操作によって、ロックされていた第１保護カバー１３のロック孔９０とロック部材８０のロック爪８２のロックが解除される。この結果、第１保護カバー１３の係止リブ７６と本体構造体２に設けられた第１固定部７８との間で係止されている第１弾性部材７７の付勢力が開放され、この付勢力によって第１保護カバー１３は、筐体７から第１排紙口９を介して所定の位置まで突出する。
そして、第２保護カバー１４は、第２保護カバー１４に設けられたラッチ部６４Ａを筐体７に設けられたラッチ部６４Ｂから外し、第１蝶番６６を中心に矢印Ｉ方向に回動して第２排紙口１２を覆うように手動でセットされる。これによって印刷装置１は、図２７から図２８の状態になって装置のセットは完了する。
【００７０】
また、印刷装置１の状態を図２８から図２７に戻すときは、先ず、給紙トレー１１を印刷装置１の用紙トレー挿入口７４から抜き取る。次に、第１保護カバー１３の係止リブ７６と本体構造体２に設けられた第１固定部７８との間で係止されている第１弾性部材７７の付勢力に抗して第１保護カバー１３を筐体７の内部に第１排紙口９を介して手動で挿入する。このとき、ロック部材８０のロック爪８２と本体構造体２に設けられた第２固定部９７との間に係止された第２弾性部材８１の付勢力によって付勢されたロック爪８２が第１保護カバー１３の上面を乗り越える。この乗り越えが進み、第１保護カバー１３のロック孔８９にロック部材８０のロック爪８２が契合してロックされ、第１保護カバー１３は所定の位置にロックされる。
そして、第２保護カバー１４を矢印Ｉと反対の方向に第１蝶番６６を中心に回動して筐体７に手動で収納し、第２保護カバー１４に設けられたラッチ部６４Ａを筐体７に設けられたラッチ部６４Ｂに係止する。これによって印刷装置１は、図２８から図２７の状態に戻る。
【００７１】
ここで、係止リブ７６、軸７９、ロック部材８０、第２弾性部材８１、ロック爪８２、ロック孔８９、ロック解除ボタン９０、第２固定部９７は、付勢部材としての第１弾性部材７７の付勢力を保留する保留手段を構成する。また、係止リブ７６、軸７９、ロック部材８０、第２弾性部材８１、ロック爪８２、ロック孔８９、ロック解除ボタン９０、第２固定部９７は、保留解除手段を構成する。
【００７２】
以上詳細に説明した通り本第３実施形態に係る印刷装置１では、第１保護カバー１３を筐体７から突出させる付勢部材としての第１弾性部材７７と、第１弾性部材７７の付勢力を保留する係止リブ７６、軸７９、ロック部材８０、第２弾性部材８１、ロック爪８２、ロック孔８９、ロック解除ボタン９０、第２固定部９７で構成される保留手段と、保留手段の保留を解除する係止リブ７６、軸７９、ロック部材８０、第２弾性部材８１、ロック爪８２、ロック孔８９、ロック解除ボタン９０、第２固定部９７で構成される保留解除手段とを備え、保留解除手段を手動で操作することにより第１弾性部材７７の付勢力を解除し、第１保護カバー１３が第１弾性部材７７の付勢力により筐体７から所定距離だけ突出するようにしたので、付勢部材に構造的に単純な第１弾性部材７７による付勢力を使用することにより電気エネルギのように補充を必要としない安定した付勢力を使用することができる。このため、本体の電気エネルギの消費を押さえることができる。更に、付勢部材に第１弾性部材７７を使用することによって、第１保護カバー１３を筐体７に収納するときに第１弾性部材７７を圧縮状態又は伸縮状態にし、その状態を保持する部材（保留手段）を設ければその付勢力を減少させることなしに保留することができる。次にその付勢力をそのまま使用できるので、電気エネルギのように付勢力の減少を考慮する必要がない。また、付勢部材に構造的に単純な第１弾性部材７７による付勢力を使用するので、印刷装置１の小型化が実現できる。そして、操作者はロック解除ボタン９０を手動で操作するだけで、ロック解除ボタン９０の機構が状態を保持する部材（保留手段）に作用して付勢力の保留を解除するので、第１弾性部材７７の付勢力が自動的に保護カバーを筐体７から所定距離だけ突出させて用紙１０にゴミを付着させない印刷ができる状態にセットする。そのため、操作者には印刷装置１のセットやゴミに対する負担をかけることがない。また、操作者は、ロック解除ボタン９０を手動で操作することによって次に何が起こるか理解できる。
【００７３】
そして、筐体７から突出した第１保護カバー１３を筐体７の内部に戻す操作を第１弾性部材７７の付勢力に抗して手動で行うようにしたので、電気エネルギ等の余分なエネルギを使用することなしに第１弾性部材７７に大きなエネルギを蓄積できる。この蓄積されたエネルギを利用して次に印刷装置１を使用するときには、ロック解除ボタン９０を押下する簡単な操作のみで第１保護カバー１３がセットされるので操作者に負担をかけることがない。
【００７４】
そして、本発明に係る第４実施形態を図２９、図３０に基づいて説明する。本第４実施形態に係る印刷装置１は、第１実施形態、第２実施形態及び第２実施形態に係る印刷装置１と印刷媒体としての用紙１０に印刷する印刷機構は基本的に同じであるが、用紙１０をゴミから保護する保護機構のセットと収納の仕方において、第１実施形態に係る印刷装置１では給紙トレー１１の装着及び脱着に連動し、第２実施形態に係る印刷装置１では給紙トレー１１の装着に連動して保護機構のセットを行い、手動で保護機構の収納を行うように分けて行うようにし、さらに第３実施形態に係る印刷装置１では給紙トレー１１の装着及び脱着に関係なく機械的に保護機構のセットを行い、手動で保護機構の収納を行うようにしているのに対し、本第４実施形態に係る印刷装置１では給紙トレー１１の装着、脱着及び機械的な保護機構のセットに関係なく、手動で保護機構の装着及び脱着を行うようにしている点が異なる。本第４実施形態に係る印刷装置１では、上述のような第１実施形態、第２実施形態及び第３実施形態に係る印刷装置１と異なるポイントを説明し、使用する符号は同一機能のものは同一の符号を使用する。
【００７５】
先ず、用紙１０をゴミから保護する保護機構の構成を図２９、図３０に基づいて説明する。
図２９、図３０に示すように印刷装置１は、用紙１０に印刷する印刷手段、用紙１０を搬送する搬送手段及び本体構造体２を包含する筐体７と、本体構造体２の前面側下部に前側から嵌め込んで装着される給紙トレー１１とから構成されている。
そして、筐体７には、用紙１０の往路の第１排紙口９と復路の第２排紙口１２が設けられ、用紙１０が印刷のために往復搬送されてそれぞれ二つの排紙口を介して筐体７から突出したとき、突出した印刷媒体としての用紙１０を覆って保護するために、第１排紙口９部にセットされる第１保護カバー１３と、第２排紙口１２部にセットされる第２保護カバー１４とが設けられている。
【００７６】
ここで、一方の第１保護カバー１３は、筐体７に取り付けられた第２蝶番９１に係止されて筐体７の第１筐体溝９２に収納され、第１保護カバー１３に設けられたラッチ部９６Ａを筐体７に設けられたラッチ部９６Ｂに係止して収納されている。
そして、他方の第２保護カバー１４は、筐体７に取り付けられた第１蝶番６６に係止されて筐体７の第２筐体溝９３に収納され、第２保護カバー１４に設けられたラッチ部６４Ａを筐体７に設けられたラッチ部６４Ｂに係止して収納されている。
【００７７】
続いて、このように構成された印刷装置１を使用するために図２９から図３０にセットする方法を説明する。
先ず、給紙トレー１１を印刷装置１の用紙トレー挿入口７４から挿入する。
次に、一方の第１保護カバー１３は、第１保護カバー１３に設けられたラッチ部９６Ａを筐体７に設けられたラッチ部９６Ｂから外し、第２蝶番９１を中心に矢印Ｍ方向に回動させ、第１排紙口９を覆うために、第１保護カバー１３の第１開口端面９４が筐体７の側面と当接するように手動でセットされる。
そして、他方の第２保護カバー１４は、第２保護カバー１４に設けられたラッチ部６４Ａを筐体７に設けられたラッチ部６４Ｂから外し、第１蝶番６６を中心に矢印Ｉ方向に回動させ、第２排紙口１２を覆うために、第２保護カバー１４の第２開口端面９５が筐体７の側面と当接するように手動でセットされる。これによって印刷装置１は、図２９から図３０の状態になって装置のセットは完了する。
【００７８】
また、印刷装置１の状態を図３０から図２９に戻すときは、先ず、給紙トレー１１を印刷装置１の用紙トレー挿入口７４から抜き取る。
次に、第１保護カバー１３を矢印Ｍと反対の方向に第２蝶番９１を中心に回動して筐体７の第１筐体溝９２に手動で収納し、第１保護カバー１３に設けられたラッチ部９６Ａを筐体７に設けられたラッチ部９６Ｂに係止する。
そして、第２保護カバー１４を矢印Ｉと反対の方向に第１蝶番６６を中心に回動して筐体７の第２筐体溝９３に手動で収納し、第２保護カバー１４に設けられたラッチ部６４Ａを筐体７に設けられたラッチ部６４Ｂに係止する。これによって印刷装置１は、図３０から図２９の状態に戻る。
【００７９】
ここで、第１保護カバー１３、第２蝶番９１、第１筐体溝９２、第１開口端面９４、ラッチ部９６Ａ、ラッチ部９６Ｂは、第１保護カバー１３の筐体７からの突出と筐体への挿入を手動操作にて行う手動操作機構を構成する。また、第２保護カバー１４、第１蝶番６６、第２筐体溝９３、第２開口端面９５、ラッチ部６４Ａ、ラッチ部６４Ｂは、第２保護カバー１４の筐体７からの突出と筐体への挿入を手動操作にて行う手動操作機構を構成する。
【００８０】
以上詳細に説明した通り本第４実施形態に係る印刷装置１では、筐体７の内部に収容可能に付設された第１保護カバー１３と第２保護カバー１４の筐体７からの突出と筐体７への挿入を手動操作にて行う第１保護カバー１３、第２蝶番９１、第１筐体溝９２、第１開口端面９４、ラッチ部９６Ａ、ラッチ部９６Ｂのグループ、及び、第２保護カバー１４、第１蝶番６６、第２筐体溝９３、第２開口端面９５、ラッチ部６４Ａ、ラッチ部６４Ｂのグループで構成される単純な手動操作機構を備えたので、装置を単純化することができる。また、第１保護カバー１３と第２保護カバー１４の筐体７からの突出と筐体への挿入の複雑な機構を筐体７の中に入れる必要がないので印刷装置１を薄く小型にすることができる。更に、人力を利用するので、第１保護カバー１３と第２保護カバー１４の筐体７からの突出と筐体への挿入の負荷変動を考慮する必要がないため設計が簡略できる。
【００８１】
尚、本発明は前記第１実施形態に限定されることはなく、本発明の要旨を逸脱しない範囲内で種々の改良、変形が可能であることは勿論である。
【図面の簡単な説明】
【００８２】
【図１】第１実施形態に係る印刷装置とリボンカセットの概略構成を示す斜視図である。
【図２】印刷装置にリボンカセットを装着した状態を示す斜視図である。
【図３】印刷装置にリボンカセットを装着した状態を示す平面図である。
【図４】筐体を取り付けた印刷装置にリボンカセットを装着した状態を示す側断面図である。
【図５】印刷装置の本体筐体の後側斜視図である。
【図６】ヘッドユニットの上側斜視図である。
【図７】ヘッドユニットの下側斜視図である。
【図８】一対のカム部材の概略構成を示す斜視図である。
【図９】一対のカム部材の概略構成を示す正面図である。
【図１０】図９の左側面図である。
【図１１】図９の右側面図である。
【図１２】印刷装置の制御構成を示すブロック図である。
【図１３】ヘッドユニットの駆動制御処理を示すフローチャートである。
【図１４】用紙搬送開始時の状態を示す側断面図である。
【図１５】印刷開始位置に搬送される用紙の先端部がプラテンローラに到達した時の状態を示す側断面図である。
【図１６】印刷開始位置に搬送される用紙の先端部がインクリボンに到達した時の状態を示す側断面図である。
【図１７】用紙が印刷開始位置に搬送された状態を示す側断面図である。
【図１８】用紙が印刷・排出される状態を示す側断面図である。
【図１９】保護カバーが印刷装置の筐体に収納された状態と、そのときの保護カバー送り機構の状態を示す側断面図である。
【図２０】図１９の底面からの透視図である。
【図２１】保護カバーが印刷装置の筐体にセットされる状態の説明をする説明図である。
【図２２】図２０の底面からの透視図である。
【図２３】保護カバーが印刷装置の筐体にセットされる状態の説明をする説明図である。
【図２４】図２１の底面からの透視図である。
【図２５】第２実施形態に係る印刷装置の保護カバーが印刷装置の筐体に収納された状態と、そのときの付勢部材の付勢力を保留する保留手段と、保留手段の保留を解除する保留解除手段の状態を示す側断面図である。
【図２６】図２５の状態から保護カバーが印刷装置の筐体から突出された状態と、そのときの付勢部材の付勢力を保留する保留手段と、保留手段の保留を解除する保留解除手段の状態を示す側断面図である。
【図２７】第３実施形態に係る印刷装置の保護カバーが印刷装置の筐体に収納された状態と、そのときの付勢部材の付勢力を保留する保留手段と、保留手段の保留を解除する保留解除手段の状態を示す側断面図である。
【図２８】図２７の状態から保護カバーが印刷装置の筐体から突出された状態と、そのときの付勢部材の付勢力を保留する保留手段と、保留手段の保留を解除する保留解除手段の状態を示す側断面図である。
【図２９】第４実施形態に係る印刷装置の保護カバーが印刷装置の筐体に収納された状態を示す側断面図である。
【図３０】図２９の状態から保護カバーが印刷装置の筐体から突出された状態を示す側断面図である。
【図３１】用紙が印刷終了後に排出された状態を示す部分図である。
【符号の説明】
【００８３】
１          印刷装置
７          筐体
１０        用紙
１１        給紙トレー
１３        第１保護カバー
１４        第２保護カバー
１５        サーマルヘッド
１６        ヘッドユニット
３７        プラテンローラ
４５        インクリボン
５１        用紙送りモータ
５２        第２ギヤ列
５５        給紙ローラ
５６        用紙送りローラ
５７、６２  ピンチローラ
６１        排出ローラ
６５        保護カバー送り機構
６６        第１蝶番
７６        係止リブ
７７        第１弾性部材
７９        軸
８０        ロック部材
８１        第２弾性部材
８４        ロック解除アーム部材
８８        第３弾性部材
８９        ロック孔
９０        ロック解除ボタン
９１        第２蝶番
【図１】
2007069554.tif 000003
【図２】
2007069554.tif 000004
【図３】
2007069554.tif 000005
【図４】
2007069554.tif 000006
【図５】
2007069554.tif 000007
【図６】
2007069554.tif 000008
【図７】
2007069554.tif 000009
【図８】
2007069554.tif 000010
【図９】
2007069554.tif 000011
【図１０】
2007069554.tif 000012
【図１１】
2007069554.tif 000013
【図１２】
2007069554.tif 000014
【図１３】
2007069554.tif 000015
【図１４】
2007069554.tif 000016
【図１５】
2007069554.tif 000017
【図１６】
2007069554.tif 000018
【図１７】
2007069554.tif 000019
【図１８】
2007069554.tif 000020
【図１９】
2007069554.tif 000021
【図２０】
2007069554.tif 000022
【図２１】
2007069554.tif 000023
【図２２】
2007069554.tif 000024
【図２３】
2007069554.tif 000025
【図２４】
2007069554.tif 000026
【図２５】
2007069554.tif 000027
【図２６】
2007069554.tif 000028
【図２７】
2007069554.tif 000029
【図２８】
2007069554.tif 000030
【図２９】
2007069554.tif 000031
【図３０】
2007069554.tif 000032
【図３１】
2007069554.tif 000033